(57)【要約】【課題】  操作部４を把持部３に対して捻り、ブラシ毛基体２２を格納位置へ格納することで、把持部３を掴んだ手で操作部４を操作する必要性等をなくし、操作性を向上させることができるヘアーアイロンブラシ１を提供する。【解決手段】  カール部本体２１と、ブラシ毛基体２２と、突出位置と格納位置との間でブラシ毛基体２２を誘導する誘導部２３aが形成された誘導閉塞部２３と、を有するカール部２と、把持部３と、誘導部２３aに沿ってブラシ毛基体２２を突出位置から格納位置へ切り替える操作部４と、を備えるヘアーアイロンブラシ１であって、操作部４は、カール部２の先端側に回動自在に形成されており、把持部３に対して捻ることで、ブラシ毛基体２２を格納位置へ格納することを特徴とするヘアーアイロンブラシ１。【選択図】図３
2018166894.tif 000002
【特許請求の範囲】
【請求項１】
髪を巻き付けてカールさせるカール部本体と、前記カール部本体に沿って延び、複数のブラシ毛を有するブラシ毛基体と、前記カール部本体から前記ブラシ毛が突出する突出位置と前記カール部本体内に前記ブラシ毛を格納する格納位置との間で前記ブラシ毛基体を誘導する誘導部が形成され、前記カール部本体の端部を閉塞するように位置する誘導閉塞部と、を有するカール部と、
前記カール部の基端側に一体的に形成された把持部と、
前記誘導部に沿って前記ブラシ毛基体を前記突出位置から前記格納位置へ切り替える操作部と、を備えるヘアーアイロンブラシであって、
前記操作部は、前記カール部の先端側に回動自在に形成されており、前記把持部に対して捻ることで、前記ブラシ毛基体を前記格納位置へ格納することを特徴とするヘアーアイロンブラシ。
【請求項２】
前記操作部は、さらに、
前記ブラシ毛基体を軸支し、前記カール部本体の半径方向へ進むにつれて湾曲する湾曲孔部が形成され、前記操作部の回動に応じて回動する回動板と、を有し、
前記誘導部は、前記ブラシ毛基体を軸支し、前記カール部本体の半径方向へ直線状に延びる長孔であり、前記回動板の回動に応じて前記湾曲孔部で前記ブラシ毛基体を前記格納位置へ誘導することを特徴とする請求項１に記載のヘアーアイロンブラシ。
【請求項３】
前記誘導閉塞部は、前記カール部本体の両側に一対形成されており、
前記回動板は、前記一対の誘導部を挟むように前記操作部の軸部に一体的に形成されており、前記ブラシ毛基体の両端部を軸支することを特徴とする請求項２に記載のヘアーアイロンブラシ。
【発明の詳細な説明】
【技術分野】
【０００１】
本発明は、髪をカールさせるヘアーアイロンブラシに関する。
【背景技術】
【０００２】
多数のブラシ毛を立設させたカール部に髪を巻き付けて、髪をカールさせるヘアーアイロンブラシがある。ヘアーアイロンブラシは、カール部を加熱することで、カール部に巻き付けられた髪における毛皮質間の水素結合を切断し、この切断した髪をカール部の曲率に合わせて曲げて、髪をカールさせるものである。近年、このヘアーアイロンブラシに関して鋭意研究されている。
【０００３】
例えば、特許文献１（従来例）には、図１６で示すように、制御部１５４の操作に応じて、複数のブラシ１３４(剛毛１４６が固定されたもの)を本体１１４の半径方向へ往復動させることで、本体１１４の側壁１２０内へ剛毛１４６を後退させて、本体１１４に巻き付けられた髪を取外しやすくするヘア・カール用アイロン１１０が開示されている。
【先行技術文献】
【特許文献】
【０００４】
【特許文献１】特開昭５７‐１４２２０８号公報
【発明の概要】
【発明が解決しようとする課題】
【０００５】
しかし、特許文献１に開示されたヘア・カール用アイロン１１０は、把手１１２側に形成された制御部１５４を本体１１４の縦方向へ操作して、剛毛１４６を側壁１２０内へ後退（本体１１４の半径方向への移動）させるため、制御部１５４の操作方向とブラシ１３４の動作方向が全く異なることに加えて、把手１１２を把持した手で制御部１５４を操作する必要があり、操作性が悪い問題があった。
【０００６】
本発明は、上述した事情に鑑みてなされるものであって、カール部の先端側に回動自在に形成された操作部を把持部に対して捻り、ブラシ毛基体を格納位置へ格納する構成とすることで、操作部の操作方向とブラシ毛の動作方向を近づけるとともに、把持部を掴んだ手で操作部を操作する必要性もなくし、操作性を向上させることができるヘアーアイロンブラシを提供することを目的とする。
【課題を解決するための手段】
【０００７】
上記課題を解決するためになされた請求項１に記載の発明は、髪を巻き付けてカールさせるカール部本体と、前記カール部本体に沿って延び、複数のブラシ毛を有するブラシ毛基体と、前記カール部本体から前記ブラシ毛が突出する突出位置と前記カール部本体内に前記ブラシ毛を格納する格納位置との間で前記ブラシ毛基体を誘導する誘導部が形成され、前記カール部本体の端部を閉塞するように位置する誘導閉塞部と、を有するカール部と、前記カール部の基端側に一体的に形成された把持部と、前記誘導部に沿って前記ブラシ毛基体を前記突出位置から前記格納位置へ切り替える操作部と、を備えるヘアーアイロンブラシであって、前記操作部は、前記カール部の先端側に回動自在に形成されており、前記把持部に対して捻ることで、前記ブラシ毛基体を前記格納位置へ格納することを特徴とする。
【０００８】
請求項１に記載の発明によれば、カール部の先端側に回動自在に形成された操作部を把持部に対して捻り、ブラシ毛基体を格納位置へ格納することで、操作部の操作方向とブラシ毛の動作方向を近づけるとともに、把持部を掴んだ手で操作部を操作する必要性もなくし、操作性を向上させることができる。
【０００９】
請求項２に記載の発明は、請求項１に記載されたヘアーアイロンブラシであって、前記操作部は、さらに、前記ブラシ毛基体を軸支し、前記カール部本体の半径方向へ進むにつれて湾曲する湾曲孔部が形成され、前記操作部の回動に応じて回動する回動板と、を有し、前記誘導部は、前記ブラシ毛基体を軸支し、前記カール部本体の半径方向へ直線状に延びる長孔であり、前記回動板の回動に応じて前記湾曲孔部で前記ブラシ毛基体を前記格納位置へ誘導することを特徴とする。
【００１０】
請求項２に記載の発明によれば、湾曲孔部と長孔である誘導部とで、ブラシ毛基体を軸支しながら誘導することで、簡単な構成でブラシ毛基体を格納位置へ誘導することができる。
【００１１】
請求項３に記載の発明は、請求項２に記載されたヘアーアイロンブラシであって、前記誘導閉塞部は、前記カール部本体の両側に一対形成されており、前記回動板は、前記一対の誘導部を挟むように前記操作部の軸部に一体的に形成されており、前記ブラシ毛基体の両端部を軸支することを特徴とする。
【００１２】
請求項３に記載の発明によれば、一対の回動板で、ブラシ毛基体の両端部を軸支しながら誘導部に沿って格納位置へ誘導することで、ブラシ毛基体を安定した状態で誘導することができる。
【発明の効果】
【００１３】
本発明は、上述した事情に鑑みてなされるものであって、カール部の先端側に回動自在に形成された操作部を把持部に対して捻り、ブラシ毛基体を格納位置へ格納する構成とすることで、操作部の操作方向とブラシ毛の動作方向を近づけるとともに、把持部を掴んだ手で操作部を操作する必要性もなくし、操作性を向上させることができるヘアーアイロンブラシを提供することである。
【図面の簡単な説明】
【００１４】
【図１】第１実施例のヘアーアイロンブラシの斜視図である。
【図２】図１のヘアーアイロンブラシの側面図である。
【図３】図１のa−a線で切断した断面図である。
【図４】（Ａ）は図２のb−b線で切断した断面図であり、（Ｂ）は図２のc−c線で切断した断面図である。
【図５】図１のヘアーアイロンブラシの展開図である。
【図６】図５のブラシ毛基体の斜視図である。
【図７】図５の誘導閉塞部の斜視図である。
【図８】図５の回動板の斜視図である。
【図９】図１のヘアーアイロンブラシにおいて挟持部を回動させた状態の斜視図である。
【図１０】図１のヘアーアイロンブラシにおいて複数のブラシ毛を格納した状態の斜視図である。
【図１１】図１０のヘアーアイロンブラシの側面図である。
【図１２】図１０のｄ−ｄ線で切断した断面図である。
【図１３】(Ａ)は図１１のe−e線で切断した断面図であり、（Ｂ）は図１１のf−f線で切断した断面図である。
【図１４】第１実施例のヘアーアイロンブラシのカール付け作業を示すフローチャートである。
【図１５】第１実施例のヘアーアイロンブラシにおける加熱部の加熱動作を示すフローチャートである。
【図１６】従来例を示すヘア・カール用アイロンの概略断面図である。
【発明を実施するための形態】
【００１５】
（第１実施例）
以下、図面を参照して、本発明の第１実施例に係るヘアーアイロンブラシ１について説明する。
【００１６】
図１は第１実施例のヘアーアイロンブラシ１の斜視図であり、図２は図１のヘアーアイロンブラシ１の側面図であり、図３は図１のa−a線で切断した断面図であり、図４における（Ａ）は図２のb−b線で切断した断面図であり、（Ｂ）は図２のc−c線で切断した断面図であり、図５は図１のヘアーアイロンブラシ１の展開図であり、図６は図５のブラシ毛基体２２の斜視図であり、図７は図５の誘導閉塞部２３の斜視図であり、図８は図５の回動板４３の斜視図であり、図９は図１のヘアーアイロンブラシ１において挟持部５を回動させた状態の斜視図であり、図１０は図１のヘアーアイロンブラシ１において複数のブラシ毛２２ｂを格納した状態の斜視図であり、図１１は図１０のヘアーアイロンブラシ１の側面図であり、図１２は図１０のｄ−ｄ線で切断した断面図であり、図１３における(Ａ)は図１１のe−e線で切断した断面図であり、（Ｂ）は図１１のf−f線で切断した断面図である。
なお、ヘアーアイロンブラシ１の幅方向をＸ軸、ヘアーアイロンブラシ１の厚み方向をＹ軸、ヘアーアイロンブラシ１の長手方向をＺ軸とする。
【００１７】
図１および２で示すように、引用符号１は、本実施例のヘアーアイロンブラシ１である。ヘアーアイロンブラシ１は、施術者の髪をカールさせるカール部２と、カール部２の基端側に一体的に形成された把持部３と、カール部２の先端側に回動自在に形成された操作部４と、カール部２との間で髪を挟持する挟持部５と、を備える。
【００１８】
カール部２は、図１乃至３および５で示すように、髪を巻き付けてカールさせるカール部本体２１と、カール部本体２１へ髪を巻き付ける際に髪を梳かす複数のブラシ毛基体２２と、複数のブラシ毛基体２２の移動を誘導し、カール部本体２１の両端部を閉塞するように位置する一対の誘導閉塞部２３と、を有する。また、カール部２は、カール部本体２１の先端側に一体的に形成されたフランジ部２４と、カール部本体２１を加熱する加熱部２５と、加熱部２５の発熱温度を検出する温度検出部（不図示）とを有する。
【００１９】
図１および５で示すように、カール部本体２１は、例えば熱伝導率の高い金属などで形成された管形状をしており、外周面にはカール部本体２１の長手方向へ沿って複数の本体側孔部２１aが形成されている。本体側孔部２１ａは、カール部本体２１の周方向に複数形成されており、カール部本体２１の外周を覆うように形成されている。
【００２０】
本体側孔部２１ａは、図１、２および５で示すように、楕円形状をしており、後述のブラシ毛２２ｂが進退可能に形成されている。複数の本体側孔部２１ａのうち基端側には、ブラシ毛基体２２の半径方向への移動を補助する補助突起（不図示）が形成されている。
【００２１】
図４、５および１３で示すように、カール部本体２１内には、周方向に複数のブラシ毛基体２２が配置されている。ブラシ毛基体２２は、図５および６で示すように、棒状の基部２２ａと、基部２２ａの長手方向に沿って立設された複数のブラシ毛２２ｂとを有する。
【００２２】
基部２２ａおよびブラシ毛２２ｂは、例えば合成樹脂などの熱伝導率の低い材料で形成されており、カール部本体２１の熱がブラシ毛２２ｂへ伝わらないように形成されている。また、ブラシ毛２２ｂは、図６で示すように、先端側へ進むにつれて幅広となる略しゃもじ形状に形成されている。ブラシ毛２２ｂは、幅広の面を基部２２ａの長手方向へ向けて、基部２２ａに複数立設されている。
【００２３】
誘導閉塞部２３は、図４（Ｂ）および７で示すように、例えば合成樹脂などで形成されており、円板状をしたものである。誘導閉塞部２３には、周方向へ並ぶ複数の誘導孔部（誘導部）２３ａが形成されている。誘導孔部２３aは、カール部本体２１の中央から半径方向へ直線状に延びる長孔である。
【００２４】
この誘導孔部２３aは、基部２２ａの基端側を挿通し、ブラシ毛基体２２の移動を誘導する。より具体的には、誘導孔部２３aは、カール部本体２１からブラシ毛２２ｂが突出する突出位置（以下、突出位置と言う。）（図１乃至４）からカール部本体２１内にブラシ毛２２ｂを格納する格納位置（以下、格納位置と言う。）（図１０乃至１３）との間でブラシ毛基体２２を誘導する。
【００２５】
図４（Ｂ）で示すように、誘導閉塞部２３の中央には、後述の回動軸部４２よりも大きな径の誘導側軸孔部２３ｂが形成されている。
【００２６】
図１乃至５で示すように、フランジ部２４は、上面中央に凸部２４ａが形成された略カップ形状をしたものである。凸部２４ａの中央には後述の回動軸部４２を挿通する挿通孔２４ｂが形成されている。また、フランジ部２４の開口端部側には、誘導閉塞部２３と一体的に嵌合する嵌合部２４ｃが形成されている。誘導閉塞部２３は、嵌合部２４ｃでフランジ部２４と一体的に嵌合することで、カール部本体２１と一体的に形成される。
【００２７】
図３および５で示すように、加熱部２５は、カール部本体２１の長手方向へ沿うように形成されており、例えばＰＴＣヒータなどである。加熱部２５は、カール部本体２１に密着しており、加熱部２５の熱をカール部本体２１へ伝熱できるように形成されている。
【００２８】
ここで、加熱部２５は、カール部本体２１における挟持部５で挟持される面（以下、挟持面という。）の裏面側に形成されていると良い。このように挟持面の裏面側に加熱部２５を配置することで、挟持部５でカール部本体２１に押えつけられた髪へ、加熱部２５の熱を効率良く与えることができる。
【００２９】
温度検出部は、カール部本体２１内において加熱部２５と密着するように形成されている。温度検出部は、例えば、ＮＴＣサーミスタなどの温度上昇に伴う抵抗値の減少を利用して温度を検出するものである。温度検出部は、加熱部２５の温度を検出し、この検出温度情報（以下、検出温度と言う。）を後述の制御部３４へ送信する。
【００３０】
把持部３は、図１乃至３および５で示すように、施術者が握る把持部本体３１と、加熱部２５の動作状態を表示する表示部３２と、施術者の操作入力を受付け、加熱部２５の設定温度を入力する操作入力部３３と、操作入力部３３で入力されてからの時間を計測する時間計測部（不図示）と、を有する。
【００３１】
また、把持部３は、図３および５で示すように、操作入力部３３の設定温度、温度検出部の検出温度および時間計測部の計測時間に応じて、加熱部２５の発熱温度および表示部３２の表示状態を制御する制御部３４と、を有する。把持部３の基端側には、電源コード３５が位置しており、加熱部２５、表示部３２、時間計測部および制御部３４などへの電力を供給するバッテリー（不図示）が形成されている。
【００３２】
図１乃至３および５で示すように、把持部本体３１は、略半円筒状をした上側把持部本体３１ａと下側把持部本体３１ｂとからなり、例えば樹脂材料などからなる。上側把持部本体３１ａおよび下側把持部本体３１ｂの各先端側には、後述の回動軸部４２の基端側を軸支する軸受け部３１ｃ、３１ｄが形成されている。
【００３３】
図１および３で示すように、表示部３２は、上側把持部本体３１ａの上面に形成されており、例えばＬＥＤ、パネルＬＥＤなどである。表示部３２は、温度検出部の検出温度が設定温度に到達するまでを点滅表示させ、温度検出部の検出温度が設定温度へ到達した後に常灯表示させる。このように、検出温度が設定温度へ到達した後に、表示部３２を点滅表示から常灯表示となることで、施術者にカール部２が設定温度に到達したことを容易に知らせることができる。
【００３４】
この表示部３２の点灯は、例えば、操作入力部３３で入力された設定温度に応じて、点灯色を変えても良い。この構成により、施術者は表示部３２の点灯色を確認して、カール部２の設定温度を再確認することができる。
【００３５】
図１および３で示すように、操作入力部３３は、上側把持部本体３１ａの上面に形成されており、加熱部２５の設定温度を多段階（例えば、９０℃、１４０℃、１６０℃）に入力可能に形成されている。また、操作入力部３３は後述の加熱部２５の加熱制御をオフさせるオフ設定も入力可能に形成されている。操作入力部３３は、施術者からの操作入力に基づいて、設定温度に応じた設定温度情報や、オフ設定に応じた電源オフ情報を制御部３４へ送信する。
【００３６】
時間計測部は、例えば計測タイマーなどであり、設定温度情報が操作入力部３３から制御部３４へ送信されてからの時間を計測する。時間計測部は、計測を開始すると、計測時間情報（以下、計測時間と言う。）を制御部３４へ送信する。また、時間計測部は、計測時間が所定時間（例えば３０分）を超えると、電源オフ情報を制御部３４へ送信する。
【００３７】
図３で示すように、制御部３４は、例えばＣＰＵ（Central Processing Unit）などを搭載した制御基板などであり、加熱部２５、バッテリー、表示部３２、操作入力部３３および時間計測部などと電気的に接続されている。制御部３４は、操作入力部３３の設定温度、温度検出部の検出温度および時間計測部の計測時間に応じて、表示部３２の点灯を制御するとともに、バッテリーから加熱部２５への通電動作等も制御する。
【００３８】
操作部４は、ブラシ毛基体２２を、突出位置から格納位置へ切替えるものである。操作部４は、図１乃至３および５で示すように、施術者がつまんで操作するつまみ部４１と、つまみ部４１の基端側から延出し、カール部２を挿通する回動軸部４２と、回動軸部４２に一体的に固定され、一対の誘導閉塞部２３を挟むように位置する一対の回動板４３とを有する。
【００３９】
図１、２および５で示すように、つまみ部４１は、例えば合成樹脂などで形成されており、先端が正面視略矩形となるように基端側から先端へ向けて捻じれるように形成されている。つまみ部４１の内側には、凹部４１ａが形成されており、その中央には後述の回動軸部４２と螺合する螺合軸孔部４１ｂが形成されている。
【００４０】
図２および５で示すように、回動軸部４２は、先端側にはネジ溝が形成されている。回動軸部４２は、先端側を螺合軸孔部４１ｂに螺合させ、基端側を軸受け部３１ｃ、３１ｄで軸支することで、つまみ部４１の回動に応じて回動するように形成されている。
【００４１】
図８で示すように、回動板４３は、例えば合成樹脂などで形成されており、円板状をしたものである。回動板４３は、中央に回動側軸孔部４３ａが形成されており、回動側軸孔部４３ａを中心として周方向へ複数の湾曲孔部４３ｂが形成されている。回動側軸孔部４３ａは、回動軸部４２と密着するように形成されており、回動軸部４２を挿通した際に回動軸部４２と回動板４３とを一体的に形成する。
【００４２】
湾曲孔部４３ｂは、図８で示すように、回動側軸孔部４３ａの近傍から半径方向へ進むにつれて湾曲した長孔である。湾曲孔部４３ｂは、基部２２ａを挿通し、回動板４３の回動に伴って内側面で基部２２ａを押圧する。
【００４３】
この湾曲孔部４３ｂは、操作部４の回動角度に応じて、基部２２ａを一定量で進退することができる曲率で湾曲されていると良い。この構成により、所定量でブラシ毛２２ｂをカール部本体２１から進退させることができ、操作性をさらに向上させることができる。
【００４４】
ここで、湾曲孔部４３ｂで、誘導孔部２３aに沿って基部２２ａを押圧する原理について詳述する。回動板４３はつまみ部４１と一体的に形成されており、つまみ部４１の回動に伴って回動板４３が回動する。一方、誘導閉塞部２３はフランジ部２４（カール部本体２１に一体的に形成されたもの）と一体的に形成されているため、つまみ部４１が回動しても固定されたままである。
【００４５】
このため、湾曲孔部４３ｂは、つまみ部４１の回動に伴って回動するのに対して、誘導孔部２３aは動かないため、湾曲孔部４３ｂおよび誘導孔部２３aに挿通された基部２２aは、湾曲孔部４３ｂの内周面に押されながら誘導孔部２３aに沿って移動する。
【００４６】
より具体的には、つまみ部４１の回動に伴って回動板４３が回動することで、湾曲孔部４３ｂで基部２２ａを誘導孔部２３aに沿って押圧され、ブラシ毛基体２２を突出位置（図１乃至４）から格納位置（図１０乃至１３）まで誘導する。この構成により、つまみ部４１を回動するだけで、ブラシ毛基体２２を格納位置へ誘導することができる。
【００４７】
挟持部５は、図１乃至３および９で示すように、例えば合成樹脂などであり、基端が把持部３の先端側において回動自在に取付けられている。挟持部５は、基端側に設けられたバネなどの弾性部材５１により、挟持部５の先端側がカール部本体２１へ押し付けられている。挟持部５の先端側は、カール部２の延出方向へ沿って延びるように形成されている。
【００４８】
本実施例のヘアーアイロンブラシ１は、髪を挟持部５とカール部本体２１とで挟み込むことで、毛先を押え込み、カール部本体２１に対して髪を容易に巻き付けることができる。
【００４９】
本実施例のヘアーアイロンブラシ１は、挟持部５で髪をカール部本体２１へ押え付けることで、髪に対して加熱部２５からの熱を十分に与えて、髪における毛皮質間の水素結合を切断し、髪をしっかりとカール付けさせることができる。
【００５０】
本実施例のヘアーアイロンブラシ１は、挟持部５をカール部本体２１から離間させた状態で、カール部本体２１に髪を巻き付けることで、カール部本体２１に対して緩やかに髪を巻き付けて、加熱部２５から髪へ伝わる熱量を少なくして、髪をふんわりとカール付けさせることができる。
【００５１】
また、本実施例のヘアーアイロンブラシ１は、ブラシ毛２２ｂをカール部本体２１へ格納させる動作を、単に、操作部４の操作に伴って回動する回動板４３の湾曲孔部４３ｂ（周方向へ湾曲した長孔）と、カール部本体２１と一体的に形成された誘導閉塞部２３の誘導孔部２３a（半径方向へ直線状に延びる長孔）とに、基部２２aを挿通するだけの、極めて簡単な構成で実現することができる。
【００５２】
すなわち、本実施例のヘアーアイロンブラシ１は、回動板４３の湾曲孔部４３ｂと誘導閉塞部２３の誘導孔部２３aとに基部２２aを挿通する極めて簡単な構成で、ブラシ毛２２ｂをカール部本体２１へ格納させる動作を実現するため、ヘアーアイロンブラシ１の構成を簡略化し、製造コストも低減することができる。
【００５３】
さらに、本実施例のヘアーアイロンブラシ１は、カール部本体２１の両端部よりも外側（一対の誘導閉塞部２３よりも外側）に位置する一対の回動板４３で、ブラシ毛基体２２の両端部を軸支しながら誘導孔部２３aに沿って誘導することで、ブラシ毛基体２２を安定した状態で誘導することができる。
【００５４】
次に、本実施例のヘアーアイロンブラシ１を用いた髪のカール付け作業について説明する。初期条件として電源コード３５がコンセント（不図示）に差し込まれており、バッテリーに電気が供給されている状態とする。
【００５５】
図１４は、第１実施例のヘアーアイロンブラシ１のカール付け作業を示すフローチャートである。
【００５６】
図１４で示すように、施術者は、操作入力部３３を操作して設定温度を入力する（ＳＴＥＰ１１、ＳＴＥＰ１２）。制御部３４は、操作入力部３３から設定温度情報を取得すると、後述の加熱部２５の加熱制御を開始する（ＳＴＥＰ１３）。
【００５７】
施術者は、表示部３２が点滅表示から常灯表示へ切替ったことを確認すると、挟持部５を回動させて、挟持部５とカール部本体２１との間に毛先を差込み、挟持部５から手を離し、挟持部５とカール部本体２１とで毛先を挟み込む（ＳＴＥＰ１４）。
【００５８】
施術者は、毛先を挟持部５とカール部本体２１とで挟み込んだ状態で、把持部３と操作部４を両手で持ちながら回転させて、髪をカール部本体２１に巻き付ける（ＳＴＥＰ１５）。この際、髪は、カール部本体２１から突出した複数のブラシ毛２２ｂで誘導され、カール部本体２１の周方向に沿って巻き付けられる。
【００５９】
特に、カール部本体２１に髪が巻き付けられる際に、略しゃもじ形状としたブラシ毛２２ｂの幅広の面が髪をカール部本体２１の周方向へ誘導するため、カール部本体２１の周方向に沿って髪をカール部本体２１に効率良く巻き付けることができる。
【００６０】
施術者は、カール部本体２１へ髪を巻き付けた状態で、数秒間キープする（ＳＴＥＰ１６）。髪をカール部本体２１に巻き付けた状態で数秒間キープすることで、髪を十分に加熱し、髪の毛皮質間の水素結合を切断し、カール部本体２１の曲率に合わせて髪をカール付けすることができる。
【００６１】
施術者は、把持部３に対して操作部４を捻り、ブラシ毛２２ｂをカール部本体２１内へ格納する（ＳＴＥＰ１７）。具体的には、施術者は、操作部４を回動させることで、操作部４の回動に伴って回動板４３が回動し、湾曲孔部４３ｂで、基部２２ａを誘導孔部２３aに沿って押圧する。そうして、回動板４３の回動に伴って、基部２２ａが誘導孔部２３aに沿って湾曲孔部４３ｂで押圧され、ブラシ毛基体２２が突出位置（図１乃至４）から格納位置（図１０乃至図１３）へ誘導される。
【００６２】
施術者は、ブラシ毛２２ｂをカール部本体２１内へ格納した後、把持部３に対して操作部４を捻った状態で、毛先へ向けて滑らせる（ＳＴＥＰ１８）。このようして、カール付けされた髪を大気中で冷却し、髪の毛皮質間の水素結合を起こさせ、髪を所望のカール径にカールさせることができる。
【００６３】
そして、施術者は、上記カール付け（ＳＴＥＰ１４乃至ＳＴＥＰ１８）を繰り返して、髪のカール付けを終えると、操作入力部３３をＯＦＦに設定する。操作入力部３３でオフ設定が入力されると、制御部３４は、操作入力部３３から電源オフ情報を受信し、表示部３２を消灯させ、加熱部２５の加熱制御を停止させ、カール付け作業を終了する（ＳＴＥＰ１９、ＳＴＥＰ２０）。
【００６４】
本実施例のヘアーアイロンブラシ１は、カール付けされた髪をカール部本体２１から取り外す際に、ブラシ毛２２ｂをカール部本体２１へ格納することで、髪をカール部本体２１から取り外す際にブラシ毛２２ｂが引っかけることなく、髪をカール部本体２１から円滑に取り外すことができる。
【００６５】
このように、本実施例のヘアーアイロンブラシ１は、カール部本体２１から髪を取り外す際に、ブラシ毛２２ｂが髪に引っかからないため、髪のカール径をきれいな状態でカール部本体２１から取り外すことができる。
【００６６】
また、本実施例のヘアーアイロンブラシ１は、把持部３に対して操作部４を捻ることで、ブラシ毛２２ｂをカール部本体２１へ格納することができるため、把持部３を把持した手で別の操作をする必要がなく、従来例（把手を把持した手で制御部を操作するもの）に比べて操作性を向上させることができる。
【００６７】
さらに、本実施例のヘアーアイロンブラシ１は、把持部３に対して操作部４を捻ることで、ブラシ毛２２ｂをカール部本体２１へ格納することができるため、操作方向（カール部本体２１の周方向）とブラシ毛２２ｂの格納方向（カール部本体２１の半径方向）との関係を、従来例(制御部の操作方向（本体の縦方向）とブラシ毛の動作方向（本体の半径方向）)に比べて近づけることができるため、より操作性を向上させることができる。
【００６８】
次に、本実施例のヘアーアイロンブラシ１における加熱部２５の加熱動作について説明する。初期条件として電源コード３５がコンセントに差し込まれており、バッテリーに電気が供給されている状態とする。
【００６９】
図１５は第１実施例のヘアーアイロンブラシ１における加熱部２５の加熱動作を示すフローチャートである。
【００７０】
図１５で示すように、制御部３４は、操作入力部３３からの温度設定情報を所得したか否かを判断する（ＳＴＥＰ３１、ＳＴＥＰ３２）。施術者が操作入力部３３を操作して設定温度を入力すると、制御部３４は、操作入力部３３から設定温度情報を取得する（ＳＴＥＰ３２ＹＥＳ）。
【００７１】
制御部３４は、操作入力部３３から取得した設定温度情報に基づいて設定温度を設定し、表示部３２を点滅表示させ、時間計測部の計測を開始させる（ＳＴＥＰ３３）。制御部３４は、時間計測部から取得した計測時間が所定時間を経過したか否かを判定する（ＳＴＥＰ３４）。
【００７２】
制御部３４は、計測時間が所定時間を経過していないと判定すると（ＳＴＥＰ３４ＮＯ）、温度検出部から検出温度を取得し、検出温度が設定温度より高いか否かを判定する（ＳＴＥＰ３６、ＳＴＥＰ３７）。
【００７３】
制御部３４は、検出温度が設定温度より高くないと判定すると（ＳＴＥＰ３７ＮＯ）、バッテリーから加熱部２５へ通電し、加熱部２５を動作させる（ＳＴＥＰ３８）。制御部３４は、加熱部２５を動作させた後、再度、時間計測部の計測時間が所定時間を経過したか否かを判定する（ＳＴＥＰ３８、ＳＴＥＰ３４）。
【００７４】
一方、制御部３４は、検出温度が設定温度より高いと判定すると（ＳＴＥＰ３７ＹＥＳ）、表示部３２を常灯表示し、加熱部２５への通電を停止し、加熱部２５の動作を停止させる（ＳＴＥＰ３９、ＳＴＥＰ４０）。そして、制御部３４は、操作入力部３３から電源オフ情報を取得したか否かを判定する（ＳＴＥＰ４１）。
【００７５】
制御部３４が、操作入力部３３から電源オフ情報を取得していないと判定すると（ＳＴＥＰ４１ＮＯ）、再度、時間計測部の計測時間が所定時間を経過したか否かを判定する（ＳＴＥＰ３４）。
【００７６】
制御部３４は、計測時間が所定時間を経過したと判定した場合は（ＳＴＥＰ３４ＹＥＳ）、バッテリーから加熱部２５への通電を停止させ、加熱部２５の動作を停止させる（ＳＴＥＰ３５）。そして、制御部３４は、表示部３２を消灯させ、加熱部２５の加熱動作を終了する（ＳＴＥＰ４２、ＳＴＥＰ４３）
【００７７】
また、制御部３４は、操作入力部３３から電源オフ情報を取得したと判定すると（ＳＴＥＰ４１ＹＥＳ）、表示部３２を消灯し、加熱部２５の加熱動作を終了する（ＳＴＥＰ４２、ＳＴＥＰ４３）。
【００７８】
本実施例のヘアーアイロンブラシ１は、加熱部２５を設定温度に加熱することで、施術者の要望に合った温度で髪毛をカール付けすることができる。
【００７９】
例えば、施術者が、操作入力部３３に低い設定温度を入力すれば、カール部本体２１の温度を低くして、髪に過度なダメージを与えずに、緩やかにカール付けすることができる。
【００８０】
また、施術者が、操作入力部３３に高い設定温度を入力すれば、カール部本体２１の温度を高くすることができるため、短い時間で髪をしっかりとカール付けすることができる。
【００８１】
さらに、本実施例のヘアーアイロンブラシ１は、時間計測部の計測時間が所定時間を超えると、自動的に加熱部２５を停止させため、ヘアーアイロンブラシ１の消し忘れを確実に防止することができる。
【００８２】
（他の実施例）
第１実施例において、ブラシ毛基体２２を突出位置から格納位置まで移動させることを、半径方向へ直線状に延びる長孔の誘導孔部２３aと、半径方向へ進むにつれて湾曲した湾曲孔の湾曲孔部４３ｂとに、基部２２aを挿通させる構成で実現するものとして説明したが、特にこれに限られることはなく、ブラシ毛基体２２を突出位置から格納位置まで移動させることができる構成であれば特にこれに限られるものではない。
【００８３】
すなわち、把持部３に対して操作部４を捻ることで、ブラシ毛基体２２が誘導孔部２３aに沿って、突出位置から格納位置まで移動させる構成であれば、特に操作部４に回動板４３を形成する構成でなくても良い。
【００８４】
第１実施例において、ブラシ毛基体２２を突出位置から格納位置まで誘導する誘導孔部２３aとして、半径方向へ直線状に延びる長孔として説明したが、特にこれに限られるものではなく、ブラシ毛基体２２を突出位置から格納位置まで誘導できる構成であれば良い。
【００８５】
第１実施例において、誘導閉塞部２３をカール部本体２１の両側に一対形成し、回動板４３を一対の誘導閉塞部２３を挟むように回動軸部４２に一体的に形成するものとして説明したが、特にこれに限られるものではなく、誘導閉塞部２３又は回動板４３をカール部本体２１の基端側又は先端側のいずれかに設ける構成としても良い。
【００８６】
第１実施例において、誘導閉塞部２３は、カール部本体２１の先端側に一体的に形成されたフランジ部２４に嵌合したものとして説明したが、特にこれに限られることはなく、カール部本体２１の端部を閉塞するように位置していれば良い。
【００８７】
また、第１実施例において、把持部本体３１を略半筒状の上側把持部本体３１ａおよび下側把持部本体３１ｂからなるものとして説明したが、特にこれに限られるものではなく、把持部本体３１を略円筒状としたものとしても良い。
【００８８】
さらに、第１実施例において、ブラシ毛基体２２の半径方向への移動は、補助突起により補助されているものとして説明したが、特にこれに限られるものではなく、ブラシ毛基体２２が半径方向へ移動することができる構成であれば良い。
【００８９】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００９０】
１…ヘアーアイロンブラシ
２…カール部
２１…カール部本体      ２１a…本体側孔部    ２２…ブラシ毛基体      ２２a…基部      ２２ｂ…ブラシ毛    ２３…誘導閉塞部      ２３a…誘導孔部（誘導部）      ２３ｂ…誘導側軸孔部    ２４…フランジ部      ２４a…凸部      ２４ｂ…挿通孔      ２４ｃ…嵌合部    ２５…加熱部
３…把持部
３１…把持部本体      ３１a…上側把持部本体      ３１ｂ…下側把持部本体      ３１ｃ、３１ｄ…軸受け部    ３２…表示部    ３３…操作入力部    ３４…制御部    ３５…電源コード
４…操作部
４１…つまみ部      ４１a…凹部      ４１b…螺合軸孔部    ４２…回動軸部    ４３…回動板      ４３a…回動側軸孔部      ４３ｂ…湾曲孔部
５…挟持部    ５１…弾性部材
【図１】
2018166894.tif 000003
【図２】
2018166894.tif 000004
【図３】
2018166894.tif 000005
【図４Ａ】
2018166894.tif 000006
【図４Ｂ】
2018166894.tif 000007
【図５】
2018166894.tif 000008
【図６】
2018166894.tif 000009
【図７】
2018166894.tif 000010
【図８】
2018166894.tif 000011
【図９】
2018166894.tif 000012
【図１０】
2018166894.tif 000013
【図１１】
2018166894.tif 000014
【図１２】
2018166894.tif 000015
【図１３Ａ】
2018166894.tif 000016
【図１３Ｂ】
2018166894.tif 000017
【図１４】
2018166894.tif 000018
【図１５】
2018166894.tif 000019
【図１６】
2018166894.tif 000020